(57)【要約】【課題】ある電話装置に収容されている子機を別の電話装置に収容されている子機として利用する。【解決手段】電話装置１Ａは、電話装置１Ｂの子機を自装置１Ａの子機として動作させるとき、自装置１Ａの子機への情報を電話装置１Ｂの子機宛の情報としてＩＰネットワーク３に送出し、ネットワーク３を介して電話装置１Ｂの子機からの情報を受信した場合、受信した情報を自装置１Ａの子機からの情報として処理する。電話装置１Ｂは、自装置１Ｂの子機を電話装置１Ａの子機として動作させるとき、自装置１Ｂの子機からの情報を電話装置１Ａ宛の情報としてネットワーク３に送出し、電話装置１Ａから自装置１Ｂの子機宛の情報を受信した場合、受信した情報を自装置１Ｂの子機に送信する。【選択図】　　　　図１
2004112150.tif 000002
【特許請求の範囲】
【請求項１】
通信網を介して他の電話装置と通信を行う電話装置において、
他の電話装置の子機を自装置の子機として動作させるとき、イベントに応じて発生した前記自装置の子機への情報を前記他の電話装置の子機宛の情報として前記通信網に送出する送信手段と、
他の電話装置の子機を自装置の子機として動作させるとき、前記通信網を介して前記他の電話装置の子機からの情報を受信した場合、受信した情報を前記自装置の子機からの情報として処理する受信手段とを備えることを特徴とする電話装置。
【請求項２】
通信網を介して他の電話装置と通信を行う電話装置において、
自装置の子機を他の電話装置の子機として動作させるとき、イベントに応じて発生した前記自装置の子機からの情報を前記他の電話装置宛の情報として前記通信網に送出する送信手段と、
自装置の子機を他の電話装置の子機として動作させるとき、前記他の電話装置から前記通信網を介して前記自装置の子機宛の情報を受信した場合、受信した情報を前記自装置の子機に送信する受信手段とを備えることを特徴とする電話装置。
【請求項３】
請求項１記載の電話装置において、
前記送信手段は、前記自装置の子機への情報に前記他の電話装置の子機の識別情報を付加して前記通信網のパケットに搭載し、このパケットを前記他の電話装置宛に送信し、
前記受信手段は、前記他の電話装置から受信した自装置宛のパケットに搭載された情報に前記他の電話装置の子機の識別情報が付加されている場合、前記パケットに搭載された情報を前記他の電話装置の子機からの情報と判定することを特徴とする電話装置。
【請求項４】
請求項２記載の電話装置において、
前記送信手段は、前記自装置の子機からの情報に子機の識別情報を付加して前記通信網のパケットに搭載し、このパケットを前記他の電話装置宛に送信し、
前記受信手段は、前記他の電話装置から受信した自装置宛のパケットに搭載された情報に前記自装置の子機の識別情報が付加されている場合、前記パケットに搭載された情報を前記自装置の子機宛の情報と判定することを特徴とする電話装置。
【請求項５】
通信網を介して他の電話装置と通信を行う電話装置としてコンピュータを機能させる電話装置プログラムであって、
他の電話装置の子機を自装置の子機として動作させるとき、イベントに応じて発生した前記自装置の子機への情報を前記他の電話装置の子機宛の情報として前記通信網に送出する送信手順と、
他の電話装置の子機を自装置の子機として動作させるとき、前記通信網を介して前記他の電話装置の子機からの情報を受信した場合、受信した情報を前記自装置の子機からの情報として処理する受信手順とをコンピュータに実行させることを特徴とする電話装置プログラム。
【請求項６】
通信網を介して他の電話装置と通信を行う電話装置としてコンピュータを機能させる電話装置プログラムであって、
自装置の子機を他の電話装置の子機として動作させるとき、イベントに応じて発生した前記自装置の子機からの情報を前記他の電話装置宛の情報として前記通信網に送出する送信手順と、
自装置の子機を他の電話装置の子機として動作させるとき、前記他の電話装置から前記通信網を介して前記自装置の子機宛の情報を受信した場合、受信した情報を前記自装置の子機に送信する受信手順とをコンピュータに実行させることを特徴とする電話装置プログラム。
【請求項７】
請求項５記載の電話装置プログラムにおいて、
前記送信手順は、前記自装置の子機への情報に前記他の電話装置の子機の識別情報を付加して前記通信網のパケットに搭載し、このパケットを前記他の電話装置宛に送信し、
前記受信手順は、前記他の電話装置から受信した自装置宛のパケットに搭載された情報に前記他の電話装置の子機の識別情報が付加されている場合、前記パケットに搭載された情報を前記他の電話装置の子機からの情報と判定することを特徴とする電話装置プログラム。
【請求項８】
請求項６記載の電話装置プログラムにおいて、
前記送信手順は、前記自装置の子機からの情報に子機の識別情報を付加して前記通信網のパケットに搭載し、このパケットを前記他の電話装置宛に送信し、
前記受信手順は、前記他の電話装置から受信した自装置宛のパケットに搭載された情報に前記自装置の子機の識別情報が付加されている場合、前記パケットに搭載された情報を前記自装置の子機宛の情報と判定することを特徴とする電話装置プログラム。
【発明の詳細な説明】
【０００１】
【発明の属する技術分野】
本発明は、複数の電話装置を有する電話システムに係り、特に他の電話装置の子機を自装置の子機として利用することができる、あるいは自装置の子機を他の電話装置の子機として利用することができる電話装置及びプログラムに関するものである。
【０００２】
【従来の技術】
ボタン電話システムは複数のボタン電話装置から構成され、各ボタン電話装置は電話回線に接続された主装置と、この主装置に接続された１台以上のボタン電話機とから構成されている。ボタン電話機では、キー操作やハンドセットの状態を検出し、これら操作情報を主装置に送信し、主装置では、ボタン電話機からの操作情報に基づき機能処理を行うことにより、電話回線との外線通話や他のボタン電話機との内線通話などの各種機能を実現するものとなっている。このような電話装置では、主装置が設定情報を管理し、機能設定の内容によりボタン電話機などの動作を決定していた。
【０００３】
このようなボタン電話システムの１例として、従来の電話システムでは、各ボタン電話装置間をシリアル伝送線で接続することにより、あるボタン電話装置に到来した着呼に対して、別のボタン電話装置に収容されているボタン電話機で応答できるようにしている（例えば、特許文献１参照）。
【０００４】
【特許文献１】
特開平７−３２２３１４号公報。
【０００５】
【発明が解決しようとする課題】
以上のような電話システムでは、仮に第１のボタン電話装置に収容されている第１のボタン電話機を第２のボタン電話装置に収容されている第２のボタン電話機として動作させることができれば、第２のボタン電話機の機能設定データや電話帳データを第１のボタン電話機で利用することができるので、第２のボタン電話装置の設置場所から遠く離れた第１のボタン電話装置の設置場所に移動するユーザの利便性を向上させることができる。
【０００６】
しかしながら、特許文献１に開示された電話システムでは、例えば無線子機のように移動可能なボタン電話機を移動先の電話装置に収容したとしても、このボタン電話機は移動先の電話装置の子機として動作するだけなので、移動元の電話装置の子機として機能設定データや電話帳データを利用することができないという問題点があった。
【０００７】
本発明は、上記課題を解決するためになされたもので、他の電話装置の子機を自装置の子機として利用することができる、あるいは自装置の子機を他の電話装置の子機として利用することができる電話装置及びプログラムを提供することを目的とする。
【０００８】
【課題を解決するための手段】
本発明は、通信網を介して他の電話装置と通信を行う電話装置（図１の１Ａ）であって、他の電話装置（１Ｂ）の子機を自装置の子機として動作させるとき、イベントに応じて発生した前記自装置の子機への情報を前記他の電話装置の子機宛の情報として前記通信網に送出する送信手段と、他の電話装置の子機を自装置の子機として動作させるとき、前記通信網を介して前記他の電話装置の子機からの情報を受信した場合、受信した情報を前記自装置の子機からの情報として処理する受信手段とを備えるものである。
また、本発明の電話装置（図１の１Ｂ）は、自装置の子機を他の電話装置（１Ａ）の子機として動作させるとき、イベントに応じて発生した前記自装置の子機からの情報を前記他の電話装置宛の情報として前記通信網に送出する送信手段と、自装置の子機を他の電話装置の子機として動作させるとき、前記他の電話装置から前記通信網を介して前記自装置の子機宛の情報を受信した場合、受信した情報を前記自装置の子機に送信する受信手段とを備えるものである。
また、本発明の電話装置の１構成例において、前記送信手段は、前記自装置の子機への情報に前記他の電話装置の子機の識別情報を付加して前記通信網のパケットに搭載し、このパケットを前記他の電話装置宛に送信し、前記受信手段は、前記他の電話装置から受信した自装置宛のパケットに搭載された情報に前記他の電話装置の子機の識別情報が付加されている場合、前記パケットに搭載された情報を前記他の電話装置の子機からの情報と判定するものである。
また、本発明の電話装置の１構成例において、前記送信手段は、前記自装置の子機からの情報に子機の識別情報を付加して前記通信網のパケットに搭載し、このパケットを前記他の電話装置宛に送信し、前記受信手段は、前記他の電話装置から受信した自装置宛のパケットに搭載された情報に前記自装置の子機の識別情報が付加されている場合、前記パケットに搭載された情報を前記自装置の子機宛の情報と判定するものである。
【０００９】
また、本発明の電話装置プログラムは、他の電話装置の子機を自装置の子機として動作させるとき、イベントに応じて発生した前記自装置の子機への情報を前記他の電話装置の子機宛の情報として前記通信網に送出する送信手順と、他の電話装置の子機を自装置の子機として動作させるとき、前記通信網を介して前記他の電話装置の子機からの情報を受信した場合、受信した情報を前記自装置の子機からの情報として処理する受信手順とをコンピュータに実行させるようにしたものである。
また、本発明の電話装置プログラムは、自装置の子機を他の電話装置の子機として動作させるとき、イベントに応じて発生した前記自装置の子機からの情報を前記他の電話装置宛の情報として前記通信網に送出する送信手順と、自装置の子機を他の電話装置の子機として動作させるとき、前記他の電話装置から前記通信網を介して前記自装置の子機宛の情報を受信した場合、受信した情報を前記自装置の子機に送信する受信手順とをコンピュータに実行させるようにしたものである。
また、本発明の電話装置プログラムの１構成例において、前記送信手順は、前記自装置の子機への情報に前記他の電話装置の子機の識別情報を付加して前記通信網のパケットに搭載し、このパケットを前記他の電話装置宛に送信し、前記受信手順は、前記他の電話装置から受信した自装置宛のパケットに搭載された情報に前記他の電話装置の子機の識別情報が付加されている場合、前記パケットに搭載された情報を前記他の電話装置の子機からの情報と判定するようにしたものである。
また、本発明の電話装置プログラムの１構成例において、前記送信手順は、前記自装置の子機からの情報に子機の識別情報を付加して前記通信網のパケットに搭載し、このパケットを前記他の電話装置宛に送信し、前記受信手順は、前記他の電話装置から受信した自装置宛のパケットに搭載された情報に前記自装置の子機の識別情報が付加されている場合、前記パケットに搭載された情報を前記自装置の子機宛の情報と判定するようにしたものである。
【００１０】
【発明の実施の形態】
以下、本発明の実施の形態について図面を参照して詳細に説明する。図１は本発明の実施の形態となる電話システムの構成を示すブロック図である。本実施の形態の電話システムは、複数の電話装置１（１Ａ，１Ｂ）と、アナログ電話回線やＩＳＤＮ回線、無線電話回線などの公衆電話交換回線網２と、インターネットやＷＡＮ等のＩＰネットワーク３と、公衆電話交換回線網２に接続された電話機４とから構成される。
【００１１】
電話装置１Ａは、公衆電話交換回線網２やＩＰネットワーク３と接続される主装置１０Ａと、内線回線１２Ａを介して主装置１０Ａと接続される子機である複数のボタン電話機１１Ａ−１，１１Ａ−２，１１Ａ−３と、ＬＡＮ１４Ａを介して主装置１０Ａと接続されるＰＣ等の情報処理端末１３Ａとを有する。同様に、電話装置１Ｂは、主装置１０Ｂと、内線回線１２Ｂを介して主装置１０Ｂと接続される複数のボタン電話機１１Ｂ−１，１１Ｂ−２，１１Ｂ−３と、ＬＡＮ１４Ｂを介して主装置１０Ｂと接続される情報処理端末１３Ｂとを有する。
【００１２】
図２は電話装置１Ａの主装置１０Ａの構成を示すブロック図である。主装置１０Ａは、公衆電話交換回線網インタフェース部（以下、公衆電話交換回線網Ｉ／Ｆ部とする）１００、ＩＰネットワークインタフェース部（以下、ＩＰネットワークＩ／Ｆ部とする）１０１、内線インタフェース部（以下、内線Ｉ／Ｆ部とする）１０２、スイッチ１０３、記憶部１０４及び制御部１０５を有している。
【００１３】
公衆電話交換回線網Ｉ／Ｆ部１００は、公衆電話交換回線網２と接続され、発信や着信などの呼制御を行い、公衆電話交換回線網２からの音声データをスイッチ１０３に送出し、スイッチ１０３からの音声データを公衆電話交換回線網２に送出する。ＩＰネットワークＩ／Ｆ部１０１は、ＩＰネットワーク３と接続され、ＩＰパケットを用いたデータ通信を行う。
【００１４】
内線Ｉ／Ｆ部１０２は、内線回線１２Ａを介して複数のボタン電話機１１Ａ（１１Ａ−１，１１Ａ−２，１１Ａ−３）を収容し、ボタン電話機１１Ａからの制御データや音声データをスイッチ１０３に送出し、スイッチ１０３からの制御データや音声データをボタン電話機１１Ａに送出する。スイッチ１０３は、制御部１０５の指示に応じて、内線Ｉ／Ｆ部１０２と公衆電話交換回線網Ｉ／Ｆ部１００との間を接続して音声通話路を形成する。
【００１５】
記憶部１０４は、制御部１０５の動作に必要なプログラム、自装置のＩＰアドレス、自装置の識別コード（以下、ＩＤとする）、配下のボタン電話機１１ＡのＩＤ、内線番号を管理する内線番号管理テーブルなどを記憶している。制御部１０５は、ＣＰＵなどのマイクロプロセッサやその周辺回路から構成され、記憶部１０４に予め格納されているプログラムに従って動作し、主装置全体を制御する。電話装置１Ｂの主装置１０Ｂの構成は主装置１０Ａと同様である。
【００１６】
次に、以上のような電話システムの着呼時の動作を説明する。ここでは、公衆電話交換回線網２がＩＳＤＮ回線の場合を例にとって説明する。図３は電話システムの着呼時の動作を示すシーケンス図である。まず、ボタン電話機１１への着呼時、ＩＳＤＮ回線２の図示しない交換機は、着呼側のボタン電話機を収容している主装置１０にＳＥＴＵＰ（呼設定）メッセージを送信する（図３ステップＳ１０１）。
【００１７】
公衆電話交換回線網Ｉ／Ｆ部１００を介してＳＥＴＵＰメッセージを受信した主装置１０の制御部１０５は、公衆電話交換回線網Ｉ／Ｆ部１００を介してＩＳＤＮ回線２にＡＬＥＲＴ（呼出）メッセージを送出する（ステップＳ１０２）。また、制御部１０５は、受信したＳＥＴＵＰメッセージ中の着番号に対応するボタン電話機１１を、記憶部１０４に格納された内線番号管理テーブルに基づいて特定する。内線番号管理テーブルは、内線番号とボタン電話機１１のＩＤとを対応付けたものである。
【００１８】
ここで、着呼側のボタン電話機１１を収容している主装置を１０Ａとし、前記着番号に対応する内線番号を「１３」とすると、主装置１０Ａの制御部１０５は、図４のような内線番号管理テーブル１１０Ａを参照して、内線番号「１３」に対応する電話機ＩＤを取得する。電話機ＩＤを取得することにより、前記着番号に対応するボタン電話機が１１Ａ−３と特定される。そして、主装置１０Ａの制御部１０５は、このボタン電話機１１Ａ−３を内線Ｉ／Ｆ部１０２を通じて制御し、ボタン電話機１１Ａ−３を着信鳴動させ（ステップＳ１０４）、着信中であることを示すためにボタン電話機１１Ａ−３のランプを点滅させ（ステップＳ１０５）、ボタン電話機１１Ａ−３の液晶表示部（以下、ＬＣＤとする）に「着信中」の表示とＳＥＴＵＰメッセージから抽出した発番号とを表示させる（ステップＳ１０６）。
【００１９】
ボタン電話機１１Ａ−３のユーザは、表示された発番号を見て、応答する場合にはハンドセットを上げる。ユーザがハンドセットを上げると、ボタン電話機１１Ａ−３から主装置１０Ａにオフフックが通知される（ステップＳ１０７）。内線Ｉ／Ｆ部１０２を介してオフフック通知を受け取った主装置１０Ａの制御部１０５は、公衆電話交換回線網Ｉ／Ｆ部１００を介してＩＳＤＮ回線２にＣＯＮＮ（応答）メッセージを送出する（ステップＳ１０９）。
【００２０】
ＣＯＮＮメッセージを受信したＩＳＤＮ回線２の交換機は、ＣＯＮＮＡＣＫ（応答確認）メッセージを主装置１０Ａに返送する（ステップＳ１１０）。ＣＯＮＮＡＣＫメッセージを受信した主装置１０Ａの制御部１０５は、ボタン電話機１１Ａ−３の鳴動を停止させ（ステップＳ１１２）、通話中であることを示すためにボタン電話機１１Ａ−３のランプを点灯させ（ステップＳ１１３）、ボタン電話機１１Ａ−３のＬＣＤに「通話中」と表示させると共に（ステップＳ１１４）、スイッチ１０３を制御して、内線Ｉ／Ｆ部１０２と公衆電話交換回線網Ｉ／Ｆ部１００との間を接続することで、ＩＳＤＮ回線２の相手側電話機４とボタン電話機１１Ａ−３との間に音声通話路を形成する（ステップＳ１１６）。こうして、相手側電話機４とボタン電話機１１Ａ−３との間で音声通話が開始される。
【００２１】
通話中、主装置１０Ａの制御部１０５は、ボタン電話機１１Ａ−３のＬＣＤに通話時間を表示させる（ステップＳ１１８）。次に、ユーザがボタン電話機１１Ａ−３のハンドセットを下ろすと、ボタン電話機１１Ａ−３から主装置１０Ａにオンフックが通知される（ステップＳ１１９）。オンフック通知を受け取った主装置１０Ａの制御部１０５は、ＤＩＳＣ（切断）メッセージをＩＳＤＮ回線２に送信する（ステップＳ１２１）。
【００２２】
ＤＩＳＣメッセージを受信したＩＳＤＮ回線２の交換機は、ＲＥＬ（解放）メッセージを主装置１０Ａに返送する（ステップＳ１２２）。ＲＥＬメッセージを受信した主装置１０Ａの制御部１０５は、スイッチ１０３を制御して、相手側電話機４とボタン電話機１１Ａ−３との間の音声通話路を切断し（ステップＳ１２４）、ＲＥＬＣＯＭＰ（解放完了）メッセージをＩＳＤＮ回線２に送信する（ステップＳ１２５）。さらに、制御部１０５は、通話が終了したことを示すためにボタン電話機１１Ａ−３のランプを消灯させ（ステップＳ１２７）、ボタン電話機１１Ａ−３のＬＣＤを待機中の状態に戻す（ステップＳ１２８）。
【００２３】
次に、電話システムのダイヤル発呼時の動作を説明する。図５は電話システムのダイヤル発呼時の動作を示すシーケンス図である。配下のボタン電話機１１からダイヤル発呼が生じると（図５ステップＳ２０１）、主装置１０の制御部１０５は、ダイヤル発呼したボタン電話機１１に対応する内線番号を内線番号管理テーブルに基づいて特定する。
【００２４】
ここで、ダイヤル発呼したボタン電話機を１１Ａ−３とすると、主装置１０Ａの制御部１０５は、図４のような内線番号管理テーブル１１０Ａを参照して、ボタン電話機１１Ａ−３に対応する内線番号「１３」を取得する。そして、主装置１０Ａの制御部１０５は、内線番号「１３」に対応する外線番号（発番号）とボタン電話機１１から受け取った着番号とを含むＳＥＴＵＰメッセージを作成して、このＳＥＴＵＰメッセージを公衆電話交換回線網Ｉ／Ｆ部１００を介してＩＳＤＮ回線２に送出する（ステップＳ２０４）。また、主装置１０Ａの制御部１０５は、ダイヤル発呼したボタン電話機１１Ａ−３を内線Ｉ／Ｆ部１０２を通じて制御し、このボタン電話機１１Ａ−３のランプを点灯させ（ステップＳ２０５）、ボタン電話機１１Ａ−３のＬＣＤに「発呼中」と表示させる（ステップＳ２０６）。
【００２５】
ＳＥＴＵＰメッセージを受信したＩＳＤＮ回線２の図示しない交換機は、ＣＡＬＬＰＲＯＣ（呼設定受付）メッセージを主装置１０Ａに返す（ステップＳ２０７）。さらに、ＩＳＤＮ回線２の交換機は、相手側の電話機４が着信を受け取ると、ＡＬＥＲＴ（呼出）メッセージを主装置１０Ａに返す（ステップＳ２０８）。ＡＬＥＲＴメッセージを受信した主装置１０Ａの制御部１０５は、スイッチ１０３を制御して、内線Ｉ／Ｆ部１０２と公衆電話交換回線網Ｉ／Ｆ部１００との間を接続することで、ＩＳＤＮ回線２の相手側電話機４とダイヤル発呼したボタン電話機１１Ａ−３との間に音声通話路を形成する（ステップＳ２１０）。ＩＳＤＮ回線２の交換機からはリングバックトーン（ＲＢＴ）が主装置１０Ａに送られ、主装置１０の制御部１０５は、このＲＢＴをボタン電話機１１Ａ−３に送る。
【００２６】
次に、相手側電話機４が応答すると、ＩＳＤＮ回線２の交換機は、主装置１０ＡにＣＯＮＮメッセージを送信する（ステップＳ２１１）。ＣＯＮＮメッセージを受信した主装置１０Ａの制御部１０５は、ボタン電話機１１Ａ−３のＬＣＤに「通話中」と表示させる（ステップＳ２１３）。こうして、相手側電話機４とボタン電話機１１Ａ−３との間で音声通話が開始される。
【００２７】
ステップＳ２１４，Ｓ２１６，Ｓ２１７，Ｓ２１９，Ｓ２２０，Ｓ２２２，Ｓ２２３の処理は、それぞれステップＳ１１９，Ｓ１２１，Ｓ１２２，Ｓ１２４，Ｓ１２５，Ｓ１２７，Ｓ１２８と同じである。
【００２８】
次に、主装置１０Ｂに収容されているボタン電話機１１Ｂ−１を主装置１０Ａに収容されているボタン電話機１１Ａ−３として動作させる場合について説明する。この場合には、主装置１０Ａ，１０Ｂの記憶部１０４に格納されている内線番号管理テーブル１１０Ａ，１１０Ｂを書き換えて、主装置１０Ａと１０Ｂ間で制御データと音声データをＩＰネットワーク３を介して送受信することにより、ボタン電話機１１Ｂ−１を見かけ上主装置１０Ａの子機として動作させる。
【００２９】
図６（ａ）、図６（ｂ）に書き換え後の内線番号管理テーブル１１０Ａ，１１０Ｂを示す。図４に示したように、書き換え前の主装置１０Ａの内線番号管理テーブル１１０Ａでは、内線番号「１３」の割り当て先としてボタン電話機１１Ａ−３が設定されていた。ボタン電話機１１Ｂ−１をボタン電話機１１Ａ−３として動作させる場合には、内線番号「１３」の割り当て先をボタン電話機１１Ｂ−１に変更する必要があるため、ボタン電話機１１Ｂ−１のＩＤとこのボタン電話機１１Ｂ−１を収容している主装置１０ＢのＩＰアドレスとが内線番号「１３」に対応するように内線番号管理テーブル１１０Ａを書き換える（図６（ａ））。この書き換えは、主装置１０Ａに接続されている情報処理端末１３Ａあるいはボタン電話機１１Ａから行う。
【００３０】
一方、書き換え前の主装置１０Ｂの内線番号管理テーブル１１０Ｂでは、ボタン電話機１１Ｂ−１に対して例えば内線番号「１０」が割り当てられていたとする。ボタン電話機１１Ｂ−１をボタン電話機１１Ａ−３として動作させる場合には、ボタン電話機１１Ｂ−１の接続先を主装置１０Ａに変更する必要があるため、主装置１０ＡのＩＰアドレスがボタン電話機１１Ｂ−１のＩＤに対応するように内線番号管理テーブル１１０Ｂを書き換える（図６（ｂ））。この書き換えは、主装置１０Ｂに接続されている情報処理端末１３Ｂあるいはボタン電話機１１Ｂから行う。
【００３１】
主装置１０Ａの制御部１０５は、ボタン電話機１１Ａ−３に制御データを送る必要がある場合（図３のステップＳ１０４〜Ｓ１０６，Ｓ１１２〜Ｓ１１４，Ｓ１１８，Ｓ１２７，Ｓ１２８、図５のステップＳ２０５，Ｓ２０６，Ｓ２１３，Ｓ２２２，Ｓ２２３）、記憶部１０４に格納された内線番号管理テーブル１１０Ａを参照すると、内線番号「１３」に対して主装置１０ＢのＩＰアドレスとボタン電話機１１Ｂ−１のＩＤとが設定されているので、図７（ａ）に示す制御データの先頭に内線番号管理テーブル１１０Ａから取得したボタン電話機１１Ｂ−１のＩＤを付加して図７（ｂ）のようなアプリケーションデータを生成し、このアプリケーションデータにＩＰヘッダを付加して図７（ｃ）のようなＩＰパケットを生成する。このとき、ＩＰヘッダの宛先ＩＰアドレスには、内線番号管理テーブル１１０Ａから取得した主装置１０ＢのＩＰアドレスが設定される。そして、主装置１０Ａの制御部１０５は、生成したＩＰパケットをＩＰネットワークＩ／Ｆ部１０１を介してＩＰネットワーク３に送出する。
【００３２】
主装置１０Ｂの制御部１０５は、ＩＰネットワーク３からＩＰネットワークＩ／Ｆ部１０１を通じて自装置宛のＩＰパケット（図７（ｄ））を受信すると、このＩＰパケットから図７（ｅ）のアプリケーションデータを抽出し、このアプリケーションデータに含まれる制御データ（図７（ｆ））をアプリケーションデータから取得した電話機ＩＤに対応するボタン電話機１１Ｂ−１に送信する。こうして、ボタン電話機１１Ａ−３として動作するボタン電話機１１Ｂ−１に、着信鳴動やランプ制御あるいはＬＣＤ表示のための制御データを送信することができる。ボタン電話機１１Ａ−３へのＲＢＴおよび通話中の音声データも同様にしてボタン電話機１１Ｂ−１に送信される。
【００３３】
一方、主装置１０Ｂの制御部１０５は、ボタン電話機１１Ｂ−１から制御データを受け取った場合（図３のステップＳ１０７，Ｓ１１９、図５のステップＳ２０１，Ｓ２１４）、記憶部１０４に格納された内線番号管理テーブル１１０Ｂを参照すると、ボタン電話機１１Ｂ−１のＩＤに対して主装置１０ＡのＩＰアドレスが設定されているので、図７（ｇ）に示す制御データの先頭に送信元のボタン電話機１１Ｂ−１のＩＤを付加して図７（ｈ）のようなアプリケーションデータを生成し、このアプリケーションデータにＩＰヘッダを付加して図７（ｉ）のようなＩＰパケットを生成する。このとき、ＩＰヘッダの宛先ＩＰアドレスには、内線番号管理テーブル１１０Ｂから取得した主装置１０ＡのＩＰアドレスが設定される。そして、主装置１０Ｂの制御部１０５は、生成したＩＰパケットをＩＰネットワークＩ／Ｆ部１０１を介してＩＰネットワーク３に送出する。
【００３４】
主装置１０Ａの制御部１０５は、ＩＰネットワーク３からＩＰネットワークＩ／Ｆ部１０１を通じて自装置宛のＩＰパケット（図７（ｊ））を受信すると、このＩＰパケットのヘッダから送信元ＩＰアドレス（主装置１０Ｂのアドレス）を取得すると共に、ＩＰパケットのアプリケーションデータ（図７（ｋ））から電話機ＩＤ（ボタン電話機１１Ｂ−１のＩＤ）を取得して、送信元のボタン電話機１１を特定する。
【００３５】
つまり、主装置１０Ａの制御部１０５は、記憶部１０４の内線番号管理テーブル１１０Ａを参照すると、主装置１０ＢのＩＰアドレスとボタン電話機１１Ｂ−１のＩＤに対して内線番号「１３」が設定されているので、アプリケーションデータから抽出した制御データ（図７（ｌ））を内線番号「１３」に対応するボタン電話機１１からの制御データと認識して処理する。こうして、ボタン電話機１１Ｂ−１から送信されたダイヤル発呼のための制御データ（着番号）を内線番号「１３」に対応するボタン電話機１１からの制御データとして処理することができる。ボタン電話機１１Ｂ−１からの音声データも同様にして主装置１０Ａに送信される。
【００３６】
ボタン電話機１１Ｂ−１をボタン電話機１１Ａ−３として動作させる場合の着呼時のシーケンス図を図８に示す。ＳＥＴＵＰメッセージを受信した主装置１０Ａの制御部１０５は、着信鳴動とランプ点滅とＬＣＤ表示のための制御データを搭載したＩＰパケットを主装置１０Ｂに送信する（ステップＳ１０３）。このステップＳ１０３は、図７（ａ）〜図７（ｃ）で説明した処理によって実現される。ＩＰパケットの受信により主装置１０Ｂの制御部１０５は、図７（ｄ）〜図７（ｆ）で説明した処理を行い、ボタン電話機１１Ｂ−１に着信鳴動とランプ点滅とＬＣＤ表示を行わせる（ステップＳ１０４〜Ｓ１０６）。
【００３７】
ＣＯＮＮＡＣＫメッセージを受信した主装置１０Ａの制御部１０５は、鳴動停止とランプ点灯とＬＣＤ表示のための制御データを搭載したＩＰパケットを主装置１０Ｂに送信し（ステップＳ１１１）、このＩＰパケットの受信により主装置１０Ｂの制御部１０５は、ボタン電話機１１Ｂ−１に鳴動停止とランプ点灯とＬＣＤ表示を行わせる（ステップＳ１１２〜Ｓ１１４）。また、主装置１０Ａの制御部１０５は、パス接続を指示するＩＰパケット（図７（ａ）の制御データの代わりにパス接続指示の情報を送るＩＰパケット）を主装置１０Ｂに送信し（ステップＳ１１５）、このＩＰパケットの受信により主装置１０Ｂの制御部１０５は、パスを接続する（ステップＳ１１６）。
【００３８】
通話中、主装置１０Ａの制御部１０５は、通話時間表示のための制御データを搭載したＩＰパケットを主装置１０Ｂに送信し（ステップＳ１１７）、このＩＰパケットの受信により主装置１０Ｂの制御部１０５は、ボタン電話機１１Ｂ−１に通話時間を表示させる（ステップＳ１１８）。
【００３９】
次に、ボタン電話機１１Ｂ−１からオンフック通知を受け取った主装置１０Ｂの制御部１０５は、オンフック通知の制御データを搭載したＩＰパケットを主装置１０Ａに送信する（ステップＳ１２０）。このステップＳ１２０は、図７（ｇ）〜図７（ｉ）で説明した処理によって実現される。ＩＰパケットの受信により主装置１０Ａの制御部１０５は、図７（ｊ）〜図７（ｌ）で説明した処理を行い、ＤＩＳＣメッセージをＩＳＤＮ回線２に送信する（ステップＳ１２１）。
【００４０】
続いて、ＲＥＬメッセージを受信した主装置１０Ａの制御部１０５は、パス切断を指示するＩＰパケット（図７（ａ）の制御データの代わりにパス切断指示の情報を送るＩＰパケット）を主装置１０Ｂに送信し（ステップＳ１２３）、このＩＰパケットの受信により主装置１０Ｂの制御部１０５は、パスを切断する（ステップＳ１２４）。そして、ＲＥＬＣＯＭＰメッセージを送信した主装置１０Ａの制御部１０５は、ランプ消灯とＬＣＤ表示のための制御データを搭載したＩＰパケットを主装置１０Ｂに送信し（ステップＳ１２６）、このＩＰパケットの受信により主装置１０Ｂの制御部１０５は、ボタン電話機１１Ｂ−１にランプ消灯とＬＣＤ表示を行わせる（ステップＳ１２７，Ｓ１２８）。
【００４１】
ボタン電話機１１Ｂ−１をボタン電話機１１Ａ−３として動作させる場合のダイヤル発呼時のシーケンス図を図９に示す。ステップＳ２０１でダイヤル発呼したボタン電話機１１Ｂ−１からキーデータを受け取った主装置１０Ｂの制御部１０５は、制御データ（キーデータ）を搭載したＩＰパケットを主装置１０Ａに送信する（ステップＳ２０２）。このステップＳ２０２は、図７（ｇ）〜図７（ｉ）で説明した処理によって実現される。ＩＰパケットの受信により主装置１０Ａの制御部１０５は、図７（ｊ）〜図７（ｌ）で説明した処理を行い、ＳＥＴＵＰメッセージをＩＳＤＮ回線２に送出すると共に（ステップＳ２０４）、ランプ点灯とＬＣＤ表示のための制御データを搭載したＩＰパケットを主装置１０Ｂに送信する（ステップＳ２０３）。このステップＳ２０３は、図７（ａ）〜図７（ｃ）で説明した処理によって実現される。ＩＰパケットの受信により主装置１０Ｂの制御部１０５は、図７（ｄ）〜図７（ｆ）で説明した処理を行い、ボタン電話機１１Ｂ−１にランプ点灯とＬＣＤ表示を行わせる（ステップＳ２０５，Ｓ２０６）。
【００４２】
ＡＬＥＲＴメッセージを受信した主装置１０Ａの制御部１０５は、パス接続を指示するＩＰパケットを主装置１０Ｂに送信し（ステップＳ２０９）、このＩＰパケットの受信により主装置１０Ｂの制御部１０５は、パスを接続する（ステップＳ２１０）。また、ＣＯＮＮメッセージを受信した主装置１０Ａの制御部１０５は、ＬＣＤ表示のための制御データを搭載したＩＰパケットを主装置１０Ｂに送信し（ステップＳ２１２）、このＩＰパケットの受信により主装置１０Ｂの制御部１０５は、ボタン電話機１１Ｂ−１にＬＣＤ表示を行わせる（ステップＳ２１３）。ステップＳ２１５，Ｓ２１８，Ｓ２２１の処理は、それぞれステップＳ１２０，Ｓ１２３，Ｓ１２６と同じである。
【００４３】
以上のようにして、本実施の形態では、主装置１０Ｂに収容されているボタン電話機１１Ｂ−１を主装置１０Ａに収容されているボタン電話機１１Ａ−３として動作させることができる。
【００４４】
なお、本実施の形態では、公衆電話交換回線網２がＩＳＤＮ回線の場合を例にとって説明したが、これに限るものでないことは言うまでもない。例えば、公衆電話交換回線網２がアナログ電話回線の場合には、ＩＰネットワークＩ／Ｆ部１０１からの音声データをアナログ音声信号に変換してスイッチ１０３に送出し、スイッチ１０３からのアナログ音声信号を音声データに変換してＩＰネットワークＩ／Ｆ部１０１に送出するデータ／音声変換部を、ＩＰネットワークＩ／Ｆ部１０１とスイッチ１０３との間に設ければよい。また、ボタン電話機１１をＩＰネットワーク電話機として、公衆電話交換回線網２を使用せずにＩＰネットワーク３を用いて音声通話を行うようにしてもよい。
【００４５】
主装置１０（あるいは主装置１０と情報処理端末１３を含む電話装置１）の構成は、コンピュータで実現することができる。このコンピュータは、ＣＰＵと、ＲＯＭ（リードオンリメモリ）と、ＲＡＭ（ランダムアクセスメモリ）と、フレキシブルディスク装置等の補助記憶装置と、ハードディスク装置等の大容量の外部記憶装置と、公衆電話交換回線網２やＩＰネットワーク３、ボタン電話機１１などとの間のインタフェース装置といった構成を有している。
【００４６】
コンピュータを主装置１０（電話装置１）として機能させるための主装置プログラム（電話装置プログラム）は、フレキシブルディスク、ＣＤ−ＲＯＭ、メモリカード等の記録媒体に記録された状態で提供される。この記録媒体をコンピュータの補助記憶装置に挿入すると、媒体に記録されたプログラムが読み取られる。そして、ＣＰＵは、読み込んだプログラムをＲＡＭあるいは外部記憶装置に書き込み、このプログラムに従って本実施の形態で説明した処理を実行する。
【００４７】
【発明の効果】
本発明によれば、送信手段と受信手段とを電話装置に設けることにより、イベントに応じて発生した自装置の子機への情報を他の電話装置の子機に送信することができ、他の電話装置の子機からの情報を自装置の子機からの情報として処理することができる。その結果、離れた場所に存在する他の電話装置の子機を自装置の子機として動作させることができる。
【００４８】
また、送信手段と受信手段とを電話装置に設けることにより、イベントに応じて発生した自装置の子機からの情報を他の電話装置に送信することができ、他の電話装置から受信した自装置の子機宛の情報を自装置の子機に送信することができる。その結果、自装置の子機を離れた場所に存在する他の電話装置の子機として動作させることができる。
【図面の簡単な説明】
【図１】本発明の実施の形態となる電話システムの構成を示すブロック図である。
【図２】本発明の実施の形態における電話装置の主装置の構成を示すブロック図である。
【図３】図１の電話システムの着呼時の動作を示すシーケンス図である。
【図４】図２の主装置の記憶部に格納された内線番号管理テーブルの構成を示す図である。
【図５】図１の電話システムのダイヤル発呼時の動作を示すシーケンス図である。
【図６】図２の主装置の記憶部に格納された書き換え後の内線番号管理テーブルの構成を示す図である。
【図７】ある主装置の子機を別の主装置の子機として動作させる場合のＩＰパケットの処理を示す図である。
【図８】ある主装置の子機を別の主装置の子機として動作させる場合の着呼時の動作を示すシーケンス図である。
【図９】ある主装置の子機を別の主装置の子機として動作させる場合のダイヤル発呼時の動作を示すシーケンス図である。
【符号の説明】
１…電話装置、２…公衆電話交換回線網、３…ＩＰネットワーク、４…電話機、１０…主装置、１１…ボタン電話機、１２…内線回線、１３…情報処理端末、１００…公衆電話交換回線網インタフェース部、１０１…ＩＰネットワークインタフェース部、１０２…内線インタフェース部、１０３…スイッチ、１０４…記憶部、１０５…制御部。
【図１】
2004112150.tif 000003
【図２】
2004112150.tif 000004
【図３】
2004112150.tif 000005
【図４】
2004112150.tif 000006
【図５】
2004112150.tif 000007
【図６】
2004112150.tif 000008
【図７】
2004112150.tif 000009
【図８】
2004112150.tif 000010
【図９】
2004112150.tif 000011